(57)【特許請求の範囲】
【請求項１】
被搬送者の胴部を包持可能な包持部と、
前記包持部に取り付けられた背負ベルトを有し、
前記包持部に包持した被搬送者を背負って搬送することができる救助用バッグであって、
荷物を収容できる袋体と、袋体を携帯するための携帯手段とを有し、前記包持部に着脱可能な携帯袋を更に有する救助用バッグ。
【請求項２】
前記包持部が、上下方向に１列に連結された背内部、底部及び表内部とを有し、
前記背内部の両側部と前記表内部の両側部が連結可能とされており、
前記背内部と前記表内部の両側部を連結したときに形成される前記背内部、底部及び表内部に囲われる空間に前記携帯袋が収容され、又は、被搬送者が包持される請求項１に記載の救助用バッグ。
【請求項３】
前記背内部の両側部と前記表内部の両側部にストラップが取り付けられており、
上下方向に展開した前記背内部、底部及び表内部上に仰臥位で横たわった被搬送者を前記ストラップにより固定可能とされた請求項２に記載の救助用バッグ。
【請求項４】
前記背内部の両側部と前記表内部の両側部にリングベルトが取り付けられている請求項３に記載の救護用バッグ。
【請求項５】
前記背内部及び／又は前記表内部に１以上の補強フレームが収容されている請求項２〜４のいずれか1項に記載の救護用バッグ。
【発明の詳細な説明】
【技術分野】
【０００１】
本発明は、荷物運搬用のバッグとして使用することができ、事故等の際には負傷者等を搬送するための搬送具として使用することができるバッグに関する。
【背景技術】
【０００２】
近年登山がブームとなり、文部科学省が小学生を対象に長期自然体験活動を推進しているなどの状況から、初心者が軽登山やキャンプなどの野外活動に参加する機会が増加しており、野外活動中における参加者の負傷等に対するリスクマネージメントの重要性が増している。
【０００３】
軽登山やキャンプでは、引率する教員や指導スタッフが参加者の事故や怪我への対応としてファーストエイドキッド等を所持することは一般的であるが、骨折や捻挫等で自立歩行ができなくなる事故を想定して負傷者を搬送するための担架や背負具等を携行することはほとんど無い。
【０００４】
その理由として、担架等の搬送器具は、負傷者の搬送専用に開発されているため、登山などに常備できるようにコンパクト・軽量化されておらず、また、搬送以外に用途がないことが原因といえる。
【先行技術文献】
【特許文献】
【０００５】
【特許文献１】特開２００２−３６０６３３号公報
【特許文献２】特開２００９−５７２７号公報
【発明の概要】
【発明が解決しようとする課題】
【０００６】
負傷者等を搬送するための搬送具としては、特許文献１，２のものが知られている。特許文献１，２に見られるように、従来の搬送具では、搬送の安全性向上や搬送負荷の軽減を目的とする工夫はなされてきたが、野外での突然の事故等による負傷者の搬送を可能とするために、搬送具を小型・軽量化し、或いは、野外活動に携行し易くするための工夫はなされてこなかった。
【０００７】
本発明は、通常時には荷物の運搬に使用でき、負傷者等の搬送の必要が生じた場合には、負傷者を背負って搬送する背負具として、又は、負傷者を仰臥位で搬送する担架として使用できる救助用バッグを提供することをその目的とする。
【課題を解決するための手段】
【０００８】
本発明は、上記課題に鑑みてなされたものであり、被搬送者の胴部を包持可能な包持部と、前記包持部に取り付けられた背負ベルトを有し、前記包持部に包持した被搬送者を背負って搬送することができる救助用バッグであって、荷物を収容できる袋体と、袋体を携帯するための携帯手段とを有し、前記包持部に着脱可能な携帯袋を更に有する救助用バッグ（請求項１）である。
【０００９】
本発明の救助用バッグは、通常時には荷物を携帯袋に入れて運搬するリュックサックとして使用できる。そして、負傷者の搬送の必要が生じた場合には、負傷者（被搬送者）を包持部に包持して背負い搬送することが可能である。このように、本発明の救助用バッグは、リュックサックとして登山やキャンプ等の野外活動に自然に携行でき、事故等が発生した際には、これを背負具に転用して負傷者を安全に搬送することが可能である。
【００１０】
更に、携帯袋に入れた荷物は携帯手段で容易に持ち運びできるため、持ってきた荷物を容易に持ち帰ることもできる。この携帯手段は、携帯袋を携帯可能にすることができる持ち手、肩掛けベルト、背負ベルトなどの任意の手段とすることができる。
【００１１】
本発明の救助用バッグは、前記包持部が、上下方向に１列に連結された背内部、底部及び表内部とを有し、前記背内部の両側部と前記表内部の両側部が連結可能とされており、前記背内部と前記表内部の両側部を連結したときに形成される前記背内部、底部及び表内部に囲われる空間に前記携帯袋が収容され、又は、被搬送者が包持されるよう構成すること（請求項２）が好ましく、この場合には、荷物の運搬具と被搬送者の背負具に併用できる救助用バッグを簡略な構成で実現することができる。
【００１２】
本発明では、前記背内部の両側部と前記表内部の両側部にストラップが取り付けられており、上下方向に展開した前記背内部、底部及び表内部上に仰臥位で横たわった被搬送者を前記ストラップにより固定可能とされていること（請求項３）が好ましい。
【００１３】
本発明では、被搬送者を仰臥位に横たえた状態で搬送することも可能であるため、被搬送者の状態（負傷の部位、程度等）に応じた適切な状態での搬送が可能となる。
【００１４】
本発明では、前記背内部の両側部と前記表内部の両側部にリングベルトが取り付けられていること（請求項４）が好ましい。
【００１５】
かかる発明では、リングベルトに登山用ストックを入れて持ちやすいようにしたり、クライミング用スリングベルトなどを固定して数人で搬送することが可能であり、本発明の救助用バッグを担架として使用する場合の搬送の容易性、安全性を向上させることができる。
【００１６】
本発明では、前記背内部及び／又は前記表内部に１以上の補強フレームが収容されていること（請求項５）が好ましい。
【００１７】
かかる発明では、本発明の救助用バッグを担架等として使用する際の背内部及び／又は表内部の加重に対する強度を向上させることが可能となる。また、補強フレームを背内部及び／又は表内部から着脱可能とすれば、四肢の骨折等の際に取り外した補強フレームをシーネとして使用する等が可能である。
【図面の簡単な説明】
【００１８】
【図１】本発明の救助用バッグの本体部の展開状態を示す説明図。
【図２】本発明の救助用バッグの本体部の展開状態を示す説明図。
【図３】本発明の救助用バッグの携帯袋を示す説明図。
【図４】本発明の救助用バッグをリュックサックとして使用する場合の使用態様を示す説明図。
【図５】本発明の救助用バッグを背負具として使用する場合の使用態様を示す説明図。
【図６】本発明の救助用バッグを担架として使用する場合の使用態様を示す説明図。
【発明を実施するための形態】
【００１９】
図１，２は、本発明の１実施形態に係る救助用バック１の本体部１０の表裏を展開状態で示す説明図である。
【００２０】
図示のように、本体部１０は、ベルト４１等によって１列に連結された背内部２０、底部４０及び表内部５０を有している。
【００２１】
背内部２０、底部４０及び表内部５０には、コットンキャンバスなどの丈夫な布材で作成することができる。背内部２０及び表内部５０は、プラスチック板等の裏打材が使用され、更に、裏面に縦方向に設けられたスリット２１，５１に細長い棒状のアルミフレームを挿入することで救助用バッグ１を担架として使用する際の強度が高められている。アルミフレームは着脱が可能であり、大腿部などの骨折時にはシーネ（添え木）として利用することもできる。
【００２２】
背内部２０は、その上段、中段、下段の左右側部にそれぞれストラップ２２ａ，２２ｂ〜２４ａ，２４ｂを有し、表内部５０も同様に、その上段、中段、下段の左右側部にそれぞれストラップ５２ａ，５２ｂ〜５４ａ，５４ｂを有している。
【００２３】
これらのストラップにはバックル等からなる連結具２５，５５が取り付けられており、左右のストラップ同士（例えば、２２ａと２２ｂ、２３ａと２３ｂ）を連結し、或いは、背内部２０と表内部５０の対応するストラップ同士（例えば、２２ａと５２ａ、２３ａと５３ａ）を連結することが可能である。ストラップ２２ａ〜２４ａ，５２ｂ〜５４ｂはアジャスター２６，５６により長さ調整が可能である。各ストラップ２２ａ，２２ｂ〜２４ａ，２４ｂ，５２ａ，５２ｂ〜５４ａ，５４ｂの付け根部には、持ち手として使用できるリングベルト２７，５７が設けられている。
【００２４】
背内部２０は、最下位置にバックル等の連結具２８により相互に連結可能な腰ベルト２９ａ，２９ｂを有し、その表面中央には１対の背負ベルト３０及びが取り付けられ、更に、その上部位置には先端にバックル等の連結具３１を有する吊りベルト３２が取り付けられている。背内部２０の裏面概略中央には、バックル等の連結具３３により相互に連結可能な補助ストラップ３４ａ，３４ｂが取り付けられている。表内部５０の表面上部位置には先端にバックル等の連結具５８を有する吊りベルト５９が取り付けられている。
【００２５】
図３は、救助用バッグ１に着脱可能とされた携帯袋６０を示す説明図である。
【００２６】
携帯袋６０は、荷物を収納できる袋体６１と、袋体６１内の荷物を出し入れするための開口６２と、開口６２を閉じるためのチャックや締め紐などの封止手段６３と、袋体６１の前面側に取り付けられた背負ベルト６４を有しており、袋体６１に荷物を収納し、背負ベルト６４で持ち運ぶことが可能である。袋体６１の表裏面の上部位置には先端にバックル等の連結具６５が付いた吊りベルト６６ａ，６６ｂが取り付けられている（図３では、裏面の吊りベルト６６ｂは示されていない）。
【００２７】
図４は、救助用バッグ１を荷物を運ぶリュックサックとして使用する場合の態様を示す説明図である。
【００２８】
図示のように、背内部２０と表内部５０の対応するストラップ同士（２２ａと５２ａ、２３ａと５３ａ・・・）が連結具２５，５５により連結され、本体部１０の内側空間（背内部２０、底部４０、表内部５０及びストラップ２２〜２４，５２〜５４により囲われる空間）に携帯袋６０を収容することが可能である。この状態で吊りベルト６６ａ，６６ｂを背内部２０及び表内部５０の吊りベルト３２，５９と連結すれば、携帯袋６０の上部が上方から吊り下げられる形となり、携帯袋６０が底部４０の方に落ち込むことを防止することができる。
【００２９】
図５は、救助用バッグ１を負傷者等を背負って搬送するための背負具として使用する場合の態様を示す説明図である。
【００３０】
図示のように、背内部２０と表内部５０の対応するストラップ２２〜２４，５２〜５４は図４と同様の態様で連結されており、搬送者Ｐ１は本体部１０の内側空間に被搬送者Ｐ２を包持した状態で背負ベルト３０を用いて搬送することが可能である。この場合、アジャスター２６，５６でストラップ２２ａ〜２４ａ，５２ｂ〜５４ｂの長さ調整をすることで被搬送者Ｐ２を適切な強さで包持し、搬送の安全を図ることが可能である。
【００３１】
図６は、救助用バッグ１を負傷者等を仰臥位で搬送する担架として使用する場合の態様を示す説明図である。
【００３２】
図示のように、この使用態様では、裏面（図２）を上にして展開した本体部１０の上に被搬送者Ｐ２を仰臥位で横たえて背内部２０及び表内部５０の左右のストラップ同士（２２ａと２２ｂ，２３ａと２３ｂ・・・）を連結することで、被搬送者Ｐ２を展開した本体部１０上に適切に保持することが可能である。このとき、アジャスター２６，５６でストラップ２２ａ〜２４ａ，５２ｂ〜５４ｂの長さ調整をすることで被搬送者Ｐ２の保持強さを調整することが可能である。更に、補助ストラップ３４ａ，３４ｂを用いて被搬送者Ｐ２の腕や胸部を固定することも可能である。背内部２０及び表内部５０は、スリット２１，５１のアルミフレーム及び裏打材で補強されているために、背内部２０及び表内部５０の平坦性を保ったまま被搬送者Ｐ２を搬送することが可能である。
【００３３】
図６の態様での搬送時には、リングベルト２７，５７に登山用ストックを入れて持ちやすいようにしたり、クライミング用スリングベルトなどを固定して数人で搬送したりすることが出来る。
【００３４】
図５，６の態様で被搬送者の搬送を行う場合には、図４の態様で運んできた荷物は携帯袋６０に入れたまま背負ベルト６４でリュック式に持ち運ぶことができる。
【００３５】
以上、好ましい実施形態に基づいて本発明を説明したが、本発明は特許請求の範囲の記載内において種々の変更を行うことが可能である。
【００３６】
例えば、上記実施形態では、背内部２０及び表内部５０の両側部がストラップ２２〜２４，５２〜５４により連結される場合を示したが、ファスナーなどを用いて両側部が直接連結されるようにしても構わない。
【００３７】
また、リュックサックとしての使用態様（図４）のときに、本体部１０の上部が開放しているために携帯袋６０の上部が本体部１０から露出する実施形態を示したが、背内部２０又は表内部５０の上部にカバーを取り付けて携帯袋６０の上部が当該カバーによって覆われるようにすることも可能である。
【００３８】
その他、上記実施形態における救助用バック又はこれを構成する各部材の形状、寸法、素材、或いは、ストラップやリングベルト等の本数、取付位置等は単なる例として示したものであり、本発明はこれらにより限定されない。
【符号の説明】
【００３９】
１・・・救助用バッグ、１０・・・本体部、２０・・・背内部、２１・・・スリット、２２ａ，２２ｂ〜２４ａ，２４ｂ・・・ストラップ、２７・・・リングベルト、２９ａ，２９ｂ・・・腰ベルト、３０・・・背負ベルト、３２・・・吊りベルト、３４ａ，３４ｂ・・・補助ストラップ、４０・・・底部、４１・・・ベルト、５０・・・表内部、５１・・・スリット、５２ａ，５２ｂ〜５４ａ，５４ｂ・・・ストラップ、５７・・・リングベルト、５９・・・吊りベルト、６０・・・携帯袋、６１・・・袋体、６２・・・開口、６３・・・封止手段、６４・・・背負ベルト、６６ａ，６６ｂ・・・吊りベルト
【図１】
0005485758.tif 000002
【図２】
0005485758.tif 000003
【図３】
0005485758.tif 000004
【図４】
0005485758.tif 000005
【図５】
0005485758.tif 000006
【図６】
0005485758.tif 000007